(57)【要約】【課題】風に対して追従しにくく水中で抵抗力を持つ釣り用うきおよびうき装着用羽根を提供する。【解決手段】うき本体１０の胴部に垂直方向の凹凸を設ける。凹凸としては、うき本体１０の胴部から外方に突出する複数の羽根１１、あるいは複数の溝とすることができる。凹凸を設けることで、道糸が風を受けてうきを引っ張ろうとしても、うきの凹凸が水中でのうきの横方向の動きを阻止しようとする抵抗となる。これにより、道糸に横風が当たってうきを動かそうとする力が働いても、うきの動きは小さくなる。うき本体１０に凹凸を設ける代わりに、筒状部の外周に複数の羽根を有するうき装着用羽根をうき本体の胴部に装着するようにしてもよい。【選択図】　　　　　図１
2004016083.tif 000002
【特許請求の範囲】
【請求項１】
うき本体の胴部に垂直方向の凹凸を設けた釣り用うき。
【請求項２】
前記凹凸は前記うき本体の胴部から外方に突出する複数の羽根である請求項１記載の釣り用うき。
【請求項３】
前記凹凸は、前記うき本体の胴部に形成された複数の溝である請求項１記載の釣り用うき。
【請求項４】
うき本体の胴部に装着可能な、筒状部の外周に複数の羽根を有するうき装着用羽根。
【請求項５】
うき本体の胴部と、接着剤で接着するようにした請求項４記載のうき装着用羽根。
【請求項６】
うき本体の胴部と、熱収縮により密着するようにした請求項４記載のうき装着用羽根。
【発明の詳細な説明】
【０００１】
【発明の属する技術分野】
本発明は、風に対して追従しにくく抵抗を持たせた釣り用うきに関する。
【０００２】
【従来の技術】
釣り用うきは、釣り針を先に付けた道糸の途中に取り付けて、餌を一定の水深にとどめたり、水の流れとともに釣り針を流したり、魚信（当たり）を知るために、重要な役目を持っている。
【０００３】
海釣りをするとき、魚を寄せるために撒き餌を投げ込み、その中心にうきが落ちるようにしかけを投げると、釣り針に付けた餌に魚が食いつきやすい。潮に流れがない場合は撒き餌は真下に沈んでいき、うきの下の餌も動かない。また、潮に流れがある場合も、撒き餌と共にうきもついて流れていくために撒き餌と餌の相対位置は変わらない。
【０００４】
【発明が解決しようとする課題】
しかし、風があると、撒き餌と餌の相対関係が大きく変わる。その状況を図８に基づいて説明する。図８は釣り竿１と道糸２とうき３の位置関係を示す平面図であり、撒き餌が直径ｄの範囲Ａに撒かれ、その中心にうき３が投げ込まれているとする。うき３の大きさは誇張して描かれている。
【０００５】
図８において、横風Ｗがあり、潮の流れａがあると、ある時間経過後に撒き餌の範囲はＡ′の位置に移動しているが、道糸２は横風Ｗを受け、釣り竿１とうき３との間で大きく湾曲するため、道糸２によりうき３が釣り竿１の方に引き寄せられる。その引き寄せられる距離をｃとすると、ｃが２〜３ｍであれば撒き餌の範囲Ａ′から完全に移動してしまい、撒き餌の効果が無くなる。うき３の横断面は従来は円形であり、水中での横方向の動きに対して、余り抵抗がないために横風Ｗによる影響を強く受けるためである。
【０００６】
そこで本発明が解決しようとする課題は、風に対して追従しにくく水中で抵抗力を持つ釣り用うきおよびうき装着用羽根を提供することにある。
【０００７】
【課題を解決するための手段】
前記課題を解決するため、本発明の釣り用うきは、うき本体の胴部に垂直方向の凹凸を設けたものである。
前記凹凸はうき本体の胴部から外方に突出する複数の羽根とすることができ、あるいは、うき本体の胴部に形成された複数の溝とすることができる。
【０００８】
本発明においては、道糸が風を受けてうきを引っ張ろうとしても、うき本体の胴部に設けた垂直方向の凹凸が、水中でのうきの横方向の動きを阻止しようとする抵抗となる。これにより、道糸に横風が当たってうきを動かそうとする力が働いても、うきの動きは小さくなる。
【０００９】
本発明の釣り用うきは、うき本体に直接凹凸を加工してうきとして提供するほかに、既存のうきに装着して同様の作用を生じさせるうき装着用羽根としても提供することができる。
【００１０】
すなわち、本発明のうき装着用羽根は、うき本体の胴部に装着可能な、筒状部の外周に複数の羽根を有する構成としたものである。
このうき装着用羽根は、うき本体の胴部と、接着剤で接着するようにすることができ、あるいは、うき本体の胴部と、熱収縮により密着するようにすることができる。
【００１１】
【発明の実施の形態】
以下、本発明の実施の形態を、図１〜図６を用いて説明する。
【００１２】
＜第１実施形態＞
図１は第１実施形態を示すものであり、どんぐりうきと言われる中通しうきの例を示している。（ａ）は正面図、（ｂ）は羽根が４枚の場合の平面図、（ｃ）は羽根が３枚の場合の平面図である。ＷＬは水面を示している。このどんぐりうき１０の外周には、プラスチック等で作られた羽根１１が円周方向４枚または３枚、縦方向に接着またはうき本体と一体加工で形成されている。なお、羽根１１の枚数はこの例に限定されることはなく、何枚でもよい。
【００１３】
＜第２実施形態＞
図２は第２実施形態を示すものであり、棒うき２０の周囲に、胴部のほぼ全長にわたって羽根２１を設けたものである。羽根２１の枚数は、図示の例に限定されない。
【００１４】
＜第３実施形態＞
図３は第３実施形態を示すものであり、棒うき３０の胴部の下半分の位置に羽根３１を設けたものである。羽根３１の枚数は、図示の例に限定されない。
【００１５】
＜第４実施形態＞
図４は第４実施形態を示すものであり、（ａ）は正面図、（ｂ）はＸ−Ｘ断面図である。本実施形態では、どんぐりうき４０の周囲に凹部４１を形成し、水中で動くときに凹部４１が抵抗となるようにしたものである。凹部４１の数は図示の例に限定されない。
【００１６】
＜第５実施形態＞
図５は第５実施形態を示すものであり、（ａ）は正面図、（ｂ）はＹ−Ｙ断面図である。本実施形態では、棒うき５０の周囲に凹部５１を形成し、水中で動くときに凹部５１が抵抗となるようにしたものである。凹部５１の数は図示の例に限定されない。
【００１７】
＜第６実施形態＞
図６は第６実施形態を示すものであり、既存のうき６０に装着するうき装着用羽根７０を表している。うき装着用羽根７０は、合成樹脂製であり、筒状部の周囲に羽根７１が設けられている。この、うき装着用羽根７０を既存のうき６０に装着し、うき６０と一体化することにより、羽根７１が水中での抵抗となり、風に強いうきとなる。このうき装着用羽根７０は、うき６０の胴部と、接着剤で接着するようにすることができる。あるいは、熱収縮性の素材とすることにより、熱湯またはドライヤーを用いて、うき６０の胴部と、熱収縮により密着するようにすることができる。
【００１８】
図７は、本発明の作用を示す平面図である。撒き餌が直径ｄ（たとえば１ｍ）の範囲Ａに撒かれ、その中心にうき３が投げ込まれているとする。うき３の大きさは誇張して描かれている。
図７において、横風Ｗがあり、潮の流れａがあると、ある時間経過後に撒き餌の範囲はＡ′の位置に移動している。潮の流れａと一緒にうき３も移動するが、道糸２は横風Ｗを受け、釣り竿１とうき３との間で湾曲してうき３を潮流とは直交する方向に動かそうとする。このとき、道糸２′、２″がうき３′、３″を釣り竿１の方に引き寄せようとする力と、うき３に形成した凹凸により水中から動くまいとする力が釣り合った位置にしかうき３は動かない。そのため、風速２〜３ｍ程度の横風Ｗであれば、うき３は長い時間、直径１ｍ程度の撒き餌の範囲Ａ′から外れず、撒き餌の効果が維持され、従来のうきに比べて釣れる量を増大することができる。
【００１９】
【発明の効果】
請求項１記載の発明によれば、うき本体の胴部に垂直方向の凹凸を設けたことにより、道糸に横風が当たってうきを動かそうとする力が働いても、うきの動きは小さくなる。これにより、撒き餌の効果が持続する。
前記凹凸は請求項２または３に記載された構成のように、うき本体の胴部から外方に突出する複数の羽根として、あるいはうき本体の胴部に形成された複数の溝として、容易に実現することができる。
【００２０】
請求項４記載の発明によれば、既存のうきに装着して同様の作用効果を生じさせるうき装着用羽根を提供することができる。
このうき装着用羽根は、請求項５または請求項６に記載された構成のように、うき本体の胴部と、接着剤で接着するようにしたり、あるいは、うき本体の胴部と、熱収縮により密着するようにすることにより容易に実現することができる。
【図面の簡単な説明】
【図１】本発明の第１実施形態を示すもので、（ａ）は正面図、（ｂ）は羽根が４枚の場合の平面図、（ｃ）は羽根が３枚の場合の平面図である。
【図２】本発明の第２実施形態を示す正面図である。
【図３】本発明の第３実施形態を示す正面図である。
【図４】本発明の第４実施形態を示すものであり、（ａ）は正面図、（ｂ）はＸ−Ｘ断面図である。
【図５】本発明の第５実施形態を示すものであり、（ａ）は正面図、（ｂ）はＹ−Ｙ断面図である。
【図６】本発明の第６実施形態を示す斜視図である。
【図７】本発明の作用を示す平面図である。
【図８】従来のうきによる作用を示す平面図である。
【符号の説明】
１　釣り竿
２　道糸
３　うき
１０　どんぐりうき
１１　羽根
２０　棒うき
２１　羽根
３０　棒うき
３１　羽根
４０　どんぐりうき
４１　凹部
５０　棒うき
５１　凹部
６０　既存のうき
７０　うき装着用羽根
７１　羽根
【図１】
2004016083.tif 000003
【図２】
2004016083.tif 000004
【図３】
2004016083.tif 000005
【図４】
2004016083.tif 000006
【図５】
2004016083.tif 000007
【図６】
2004016083.tif 000008
【図７】
2004016083.tif 000009
【図８】
2004016083.tif 000010